(57)【要約】【課題】  雨の日の野外写真撮影に、カメラを濡らす心配をせず、晴天時と同じ感覚で各部調節をしながら確実に快適に写真撮影ができる。【解決手段】  カメラ本体は上下左右と正面の少なくとも5面に囲まれて雨が掛からない構造で、レンズの摺動部は筒状伸縮自在防水具により、レンズ伸長時も完全に雨から守られる。また雨天用カメラカバーに取り付けた時も、カメラの周りに広いスペースがあり各部操作が容易に行える構造について提供する。【選択図】  図１
2014119690.tif 000002
【特許請求の範囲】
【請求項１】
ピント合わせ・露出合せ・シャッター速度調整・及びシャッターボタンを押すなどの操作部を手で操作できるスペースを備えた空間を、少なくとも上面、下面、左面壁、右面壁および正面壁の５面で構成し、前記下面にはカメラ取り付穴を設け、前記正面壁にはカメラのレンズフードが余裕をもって通過できる穴をあけておき、前記穴に筒状で伸縮自在の防水具を備え、防水具のレンズフード側の先端には筒状に絞れる装置をもうけ、且つレンズフードと連動して動くことが出来る数個のかぎ状の留め具を装備することを特徴とする雨天用カメラカバー。
【請求項２】
前記左右の面壁および前記正面壁は前記下面に対して垂直となる位置で互いに倒れないように連結することが出来、且つ収納時は、前記下面に対し前記正面壁と前記左右面壁を倒し前記上面は、それらに重ねて折りたたむことで、小体積になることを特徴とする請求項1記載の雨天用カメラカバー。
【請求項３】
レンズ伸縮方向において前記上面は前記左右の面壁と同じ長さにして、レンズ側はカメラレンズが最大伸びた長さより長く、レンズの反対側はカメラ本体が雨に濡れないように余裕を持った長さにし、前記下面は前記左右の面壁と前記上面の長さよりレンズ側はレンズ伸縮の根元付近の長さまで短くし、レンズと反対側はカメラ本体が、少しの余裕をもってのる状態まで短くしたことを特徴とする請求項１又は請求項２記載の雨天用カメラカバー。
【発明の詳細な説明】
【技術分野】
【０００１】
本発明は雨天に野外で写真撮影をするとき、晴天時と同じカメラ操作でも、カメラが雨に濡れないようにするものである。
【背景技術】
【０００２】
雨の日の野外写真撮影は傘をカメラにさしかけて撮影をするか、ビニール袋をカメラにかぶせて撮影をしていた。
【先行技術文献】
【特許文献】
【０００３】
【特許文献１】特開２００７−５８１４２号公報
【発明の概要】
【発明が解決しようとする課題】
【０００４】
以上カメラに傘をさしかけても多少の雨がカメラにかかりカメラの故障の原因となった。
またビニール袋をかぶせて撮影するときは、ピント合わせ・露出合せ・シャッター速度調整及びシャッターボタンを押す動作の時など、毎回ビニール袋に手を入れて操作をすることになり非常に煩わしく時間がかかった。
【課題を解決するための手段】
【０００５】
以上の目的を達成する為、請求項１は、単なるビニール袋ではなく上面、下面、左面壁、右面壁、正面壁の少なくとも５面の箱の中に余裕をもってカメラを収納し、ピント合わせ・露出合せ・シャッター速度調整及び、シャッターボタンを押す動作などを箱の中で行うため操作がしやすく且つカメラを濡らさず晴天時と同じ操作で写真撮影ができるようにしたものである。
【０００６】
また下面にあるカメラ取り付穴は、カメラと本発明品をネジで一体に固定し、カメラの角度、上下、左右の移動があっても雨天用カメラカバーとカメラが一緒に移動ができるようにしたものである。
【０００７】
請求項２の発明は左右の面壁、正面壁が下面に対し回動できるように結合し、カメラ使用時は各面壁を起立させカメラを雨から防御する。又カメラを外し本発明品の収納時は各面壁を折りたたむことにより、携帯に便利な小さい体積になるようにしたものである。
【０００８】
請求項３は上面と左右の面壁がカメラのレンズフードより長くまた反対側はカメラ本体が雨に濡れないように余裕を持った長さの為、カメラ本体とレンズに対しては傘をさしかけた効果、カメラ下面に対しては取付面に雨水がたまることなく、カメラ本体の下面を濡らしてカメラの故障することを防止する。
【発明の効果】
【０００９】
雨天用カメラカバーとカメラを取り付けたときピント・露出・シャッター速度調整、およびシャッターボタンを押す動作などを操作できるスペースを設けた事で晴天時と同じ感覚で確実に快適に撮影することができる。
【００１０】
折りたたむと体積が小さいためカバンに入れてもあまり邪魔にならず常に持ち運びをすることで不意の雨にも本発明品を使用してカメラを濡らすことなく撮影することが出来る。
【００１１】
レンズ部分はビニール袋をかぶせることが出来ず、どの雨カバーも傘をさしかけることになるが本発明品は上面と左右両面壁が長いため傘をさしかけた時と同じ効果がある。
【００１２】
カメラ本体が乗る下面は上面と左右面壁より短いため雨が掛かり難く水たまりにならない為、カメラの下面を濡らし故障することを防止する。
【図面の簡単な説明】
【００１３】
【図１】カメラを本発明品に取り付けた側面図
【図２】正面壁と筒状で伸縮自在の防水具をレンズフ−ドに取り付けた平面図
【図３】本発明品組み立て時の正面図
【図４】本発明品の折りたたむ経過中の図
【発明を実施するための形態】
【００１４】
請求項１記載の発明は図１〜図3に基づいて説明する。
【００１５】
図１は正面壁５にカメラのレンズ側が来るように、下面２とカメラ１４を雲台１５のカメラ固定ネジ１６で固定した図である。
【００１６】
正面壁５の穴９には筒状で伸縮自在の防水具１１の片方が固定されている。
他の片方は先端に筒状を絞れるように、たとえば輪状のゴム１２と、輪状のゴム１２と連動して動く数個のかぎ状の留め具１３を装備する。
【００１７】
筒状で伸縮自在の防水具１１の形状はたとえばジャバラのようになっており、材質は防水性のあるビニールや防水布などを使用する。
また、かぎ状の留め具１３の材質は防水性のある合成樹脂の硬質プラスチックなどを使用する。
【００１８】
三脚を使用する場合はカメラ１４と雲台１５で本発明品を挟み雲台のネジ１６で一体になるように固定して、その一体品を三脚に取り付ける。
【００１９】
またコンパクトカメラなど三脚をあまり使用しないカメラは、手で握る長さの棒状の先端
にネジを加工し、そのネジでカメラと本発明品を固定して、その棒を片手に握り撮影する。
【００２０】
筒状で伸縮自在の防水具１１の装着はレンズフード１８の先端にかから無いようにかぶ
せ、防水具先端の輪状のゴム１２をレンズフード１８の筒部で止める。
【００２１】
又かぎ状の留め具１３はレンズフード１８にテーパーがついている場合、カメラ本体側がテーパーの細い側の為、レンズフードを伸縮することを重ねると、前記輪状のゴムがレンズフードより外れ、筒状で伸縮自在の防水具１１と連動できない場合があるため、レンズフード１８の先端に引っかけて防水具１１と連動させる。
【００２２】
これらによりレンズの伸縮時には筒状で伸縮自在の防水具１１が一緒に伸縮するため、レンズ摺動部１７に雨がかからないことになる。
【００２３】
筒状で伸縮自在の防水具１１の片方は正面壁５に固定されるが、望遠レンズなど摺動部が長いレンズに対しては伸縮部を長くした防水具１１と交換する必要があるため、着脱を簡単にした取付け式にする場合もある。
その場合正面壁５と防水具１１は面ファスナーなどで固定する。
【００２４】
請求項２記載の発明は、図１、図２、図３、図４で説明する。
【００２５】
下面２に対して左右の面壁３、４および正面壁５は回動できるように結合してあり、正面壁５は上面１と左右の面壁３、４とは結合していない。
【００２６】
左右の面壁３、４には正面壁５の定位置決め具６と固定具７を設ける。
【００２７】
正面壁５には左右の面壁３、４の固定具７に対応する場所に固定具８を設ける。
【００２８】
正面壁５は左、右の面壁３、４の定位置決め具６に当たり、下面に対して垂直となり、固定具７、８で正面壁５と左右面壁３、４を結合する。
【００２９】
固定具７，８は簡単に結合離脱のできるもの、たとえば面ファスナーやスナップボタンなどを使用する。
【００３０】
下面２、左右の面壁３、４と正面壁５は、箱形に組み立てたとき崩れないように、剛性を持たせ、また防水性のある素材、たとえば合成樹脂の硬質プラスチックなどを使用する。
【００３１】
又上面１は折りたたむことが出来るように柔軟性があり、防水性のある素材、たとえば合成樹脂の軟質プラスチックや防水布などを使用する。
【００３２】
図１で正面壁５、を下面２に向けて矢Ａ方向に回動させて倒し、図３の左面壁３、右面壁４、を下面２に向けて矢Ｂ、矢Ｃ方向に回動させて倒す。上面はそれらの上にのり、図４のように折りたたむことができる。
【００３３】
以上は５面をすべて結合した状態で実施する形態を書いたが、一箇所が取付式であっても本発明の請求項２と同じである。
図3において下面2と左面壁3を切り離し面ファスナーEなどの着脱自在の固定する方法を用いると本発明の請求項２と同じ効果となる。
【００３４】
請求項3記載の発明は図1、図2で説明する。
【００３５】
左右の面壁3、4と上面1は同じ長さとして、左右の面壁３、４や上面1はカメラのレンズフードが最大伸びても、レンズフードが左右面壁3、4や上面1よりG寸法内側にあり外に出ない長さにする。
又レンズと反対側はカメラ本体に対し雨に濡れないように余裕を持った長さに製作する。
【００３６】
下面2はレンズと反対側においてはカメラ本体の下面が少しの余裕をもって乗る寸法とし、左右の面壁3、4や上面1がカメラ本体が雨に濡れないように余裕を持った寸法に対しF寸法短くなる。レンズ側はレンズ伸縮の根元付近の長さに製作する。
【００３７】
G寸法については雨にぬれにくいこともあるが、カメラの視野に左右の面壁3、4や上面1が撮影されないように左右の面壁3、4の間隔や上面の高さによりきめる。
【００３８】
上記によりレンズフードは濡れず、カメラ本体には傘をさしかけた状態と同じになる。
又カメラ取付下面2には雨水がたまらない為カメラの下面が濡れない事になる。
【００３９】
左右の面壁3、4や正面壁５の大きさは操作者の手の大きさや本体カメラのサイズとレンズフードの伸縮の度合いにより種々の大きさになるがこの発明品を市販する場合は数種類の大きさの商品を製作し操作者の手の大きさとカメラの種類により設定するとよい。
【００４０】
図2に示すようにカメラ取付面の下面2にカメラ取付穴10abcなど複数個の穴をあけることによりカメラ取付位置を変更することが出来、レンズフードの伸縮の度合いなどに対応できるためカメラケースの大きさの種類を減らすことに貢献する。
【００４１】
場合により図1の点線で示す雨除けシート19をつけることもある。雨除けシート19はカーテン状の物で防水性のあるビニールや防水布などで製作する。取付は上面１に取り付けられ撮影時は上面１の上に載せて撮影する。移動するときにカーテンを下して移動するとカメラに雨が掛かることが少なくなる。
【産業上の利用可能性】
【００４２】
雨の日の写真撮影で、カメラに雨がかかることによる故障の心配をなくする。
【００４３】
ピント・露出・シャッター速度の合せやシャッターを押す動作に煩わしさがなくなる。
【００４４】
折りたたむと体積が小さいため常に携帯することが出来る。
【符号の説明】
【００４５】
１.    上面
２.    下面
３.    左面壁
４.    右面壁
５.    正面壁
６.    正面壁用定位置スットパー
７.    左右面壁用の固定具
８.    正面壁用の固定具
９.    筒状で伸縮自在の防水具の取付け穴                                        
１０.  カメラの取付け穴
１１.  筒状伸縮自在の防水具（ジャバラ）
１２.  レンズフードに固定するもの、（輪状のゴム）
１３.  レンズフード固定用かぎ状留め具
１４.  カメラ
１６.  雲台用固定ネジ
１７.  レンズ伸縮時の摺動面
１８.  レンズフード
１９.  雨除けシート
Ａ.    正面壁５の可動方向
Ｂ.    左面壁3の可動方向
Ｃ.    右面壁4の可動方向
【図１】
2014119690.tif 000003
【図２】
2014119690.tif 000004
【図３】
2014119690.tif 000005
【図４】
2014119690.tif 000006